(57)【要約】【課題】対象のコンテンツに応じた転送先に、容易にコンテンツを転送することができるようにする。【解決手段】転送対象のコンテンツであるコンテンツＡの情報と、子レコーダのそれぞれの記録媒体に既に記録されているコンテンツの情報が比較され、コンテンツＡの転送先が決定される。親レコーダ１においては、比較の結果、転送対象のコンテンツＡと同じタイトルのコンテンツが記録されている子レコーダ２−１の記録媒体が転送先として決定され、その後、転送が実行される。転送対象のコンテンツと同じタイトルのコンテンツが記録されている記録媒体がない場合、同じジャンルのコンテンツが記録されている記録媒体が転送先として決定される。本発明は、コンテンツを記録する録画機器やパーソナルコンピュータに適用することができる。【選択図】図２
2010026894.tif 000002
【特許請求の範囲】
【請求項１】
コンテンツを記録する記録手段と、
ネットワークを介して接続される記録装置の記録媒体のうち、前記記録手段に記録されたそれぞれのコンテンツの転送先とする記録媒体を、転送対象のコンテンツの情報とそれぞれの前記記録装置の記録媒体に記録されているコンテンツの情報を比較して決定し、転送する転送手段と
を備える情報処理装置。
【請求項２】
前記転送手段は、転送対象のコンテンツのタイトルと同じタイトルのコンテンツが記録されている前記記録装置の記録媒体を、転送先の記録媒体として決定する
請求項１に記載の情報処理装置。
【請求項３】
前記転送手段は、転送対象のコンテンツのタイトルと同じタイトルのコンテンツが記録されている前記記録装置の記録媒体が複数ある場合、同じタイトルのコンテンツが最も多く記録されている記録媒体を、転送先の記録媒体として決定する
請求項２に記載の情報処理装置。
【請求項４】
前記転送手段は、転送対象のコンテンツのタイトルと同じタイトルのコンテンツが記録されている前記記録装置の記録媒体がない場合、転送対象のコンテンツのジャンルと同じジャンルのコンテンツが記録されている記録媒体を、転送先の記録媒体として決定する
請求項２に記載の情報処理装置。
【請求項５】
前記転送手段は、転送対象のコンテンツのジャンルと同じジャンルのコンテンツが記録されている前記記録装置の記録媒体が複数ある場合、同じジャンルのコンテンツの数の割合が最も多い記録媒体を、転送先の記録媒体として決定する
請求項４に記載の情報処理装置。
【請求項６】
ネットワークを介して接続される記録装置の記録媒体のうち、コンテンツを記録する記録手段に記録されたそれぞれのコンテンツの転送先とする記録媒体を、転送対象のコンテンツの情報とそれぞれの前記記録装置の記録媒体に記録されているコンテンツの情報を比較して決定し、転送する
ステップを含む情報処理方法。
【請求項７】
ネットワークを介して接続される記録装置の記録媒体のうち、コンテンツを記録する記録手段に記録されたそれぞれのコンテンツの転送先とする記録媒体を、転送対象のコンテンツの情報とそれぞれの前記記録装置の記録媒体に記録されているコンテンツの情報を比較して決定し、転送する
ステップを含む処理をコンピュータに実行させるプログラム。
【発明の詳細な説明】
【技術分野】
【０００１】
本発明は、情報処理装置、情報処理方法、およびプログラムに関し、特に、対象のコンテンツに応じた転送先に、容易にコンテンツを転送することができるようにした情報処理装置、情報処理方法、およびプログラムに関する。
【背景技術】
【０００２】
近年、Blu-ray（商標）レコーダなどの、HD(High Definition)コンテンツを録画可能な録画機器が一般的なものになってきている。
【０００３】
また、DLNA(Digital Living Network Alliance)などのネットワーク技術の発達により、ある録画機器に録画させたコンテンツをネットワークを介して他の録画機器に転送し、転送先の録画機器を使ってコンテンツを視聴することも一般的に行われている。
【０００４】
特許文献１には、転送先としてユーザにより指定された記憶媒体にコンテンツを転送する技術が開示されている。
【特許文献１】特開２００７−１５６８０４号公報
【発明の開示】
【発明が解決しようとする課題】
【０００５】
高画質化によってコンテンツのデータ量が大きくなることに伴い、また、ユーザの操作によらずに自動的に録画を行う自動録画機能の進歩に伴い、録画機器に搭載されている記録媒体の空き容量の少なくなるスピードが速くなりつつある。
【０００６】
ある録画機器の記録媒体の空き容量が少なくなった場合、その機器から空き容量が比較的残っている録画機器にネットワークを介してコンテンツを転送することが考えられるが、従来、その操作が煩雑であった。例えば、どのコンテンツを、どの機器に転送するかをユーザが定期的に手動で指定する必要がある。
【０００７】
また、この録画機器は映画観賞用、この録画機器は通常の番組用といったように、録画機器の用途が決まっていたり、録画機器を主に使うユーザが違っていたりする場合、用途や主に使うユーザの嗜好などに合わせて転送先を指定する必要がある。今後、一家に複数台の録画機器があることも普通なものになることが想定され、用途や嗜好を考えなければならないことも生じてくるものと考えられる。
【０００８】
本発明はこのような状況に鑑みてなされたものであり、対象のコンテンツに応じた転送先に、容易にコンテンツを転送することができるようにするものである。
【課題を解決するための手段】
【０００９】
本発明の一側面の情報処理装置は、コンテンツを記録する記録手段と、ネットワークを介して接続される記録装置の記録媒体のうち、前記記録手段に記録されたそれぞれのコンテンツの転送先とする記録媒体を、転送対象のコンテンツの情報とそれぞれの前記記録装置の記録媒体に記録されているコンテンツの情報を比較して決定し、転送する転送手段とを備える。
【００１０】
前記転送手段には、転送対象のコンテンツのタイトルと同じタイトルのコンテンツが記録されている前記記録装置の記録媒体を、転送先の記録媒体として決定させることができる。
【００１１】
前記転送手段には、転送対象のコンテンツのタイトルと同じタイトルのコンテンツが記録されている前記記録装置の記録媒体が複数ある場合、同じタイトルのコンテンツが最も多く記録されている記録媒体を、転送先の記録媒体として決定させることができる。
【００１２】
前記転送手段には、転送対象のコンテンツのタイトルと同じタイトルのコンテンツが記録されている前記記録装置の記録媒体がない場合、転送対象のコンテンツのジャンルと同じジャンルのコンテンツが記録されている記録媒体を、転送先の記録媒体として決定させることができる。
【００１３】
前記転送手段には、転送対象のコンテンツのジャンルと同じジャンルのコンテンツが記録されている前記記録装置の記録媒体が複数ある場合、同じジャンルのコンテンツの数の割合が最も多い記録媒体を、転送先の記録媒体として決定させることができる。
【００１４】
本発明の一側面の情報処理方法またはプログラムは、ネットワークを介して接続される記録装置の記録媒体のうち、コンテンツを記録する記録手段に記録されたそれぞれのコンテンツの転送先とする記録媒体を、転送対象のコンテンツの情報とそれぞれの前記記録装置の記録媒体に記録されているコンテンツの情報を比較して決定し、転送するステップを含む。
【００１５】
本発明の一側面においては、ネットワークを介して接続される記録装置の記録媒体のうち、コンテンツを記録する記録手段に記録されたそれぞれのコンテンツの転送先とする記録媒体が、転送対象のコンテンツの情報とそれぞれの前記記録装置の記録媒体に記録されているコンテンツの情報が比較されて決定され、転送される。
【発明の効果】
【００１６】
本発明の一側面によれば、対象のコンテンツに応じた転送先に、容易にコンテンツを転送することができる。
【発明を実施するための最良の形態】
【００１７】
図１は、本発明の一実施形態に係るコンテンツ転送システムの構成例を示す図である。
【００１８】
図１に示されるように、コンテンツ転送システムは親レコーダ１と子レコーダ２−１乃至２−３がネットワーク３を介して接続されることによって構成される。子レコーダの数は任意である。例えば、親レコーダ１と子レコーダ２−１乃至２−３はそれぞれ同じ家の異なる部屋に設置され、少なくとも子レコーダ２−１乃至２−３にはテレビジョン受像機などの表示装置が接続される。
【００１９】
情報処理装置としての親レコーダ１は録画機能を有しており、放送波を介して、またはインターネットを介して提供されるコンテンツをHDD(Hard Disk Drive)等の内蔵の記録媒体に記録させる。親レコーダ１には、放送波を受信するアンテナや、インターネットに接続するためのルータなどの通信機器が有線または無線を介して接続されている。
【００２０】
記録装置としての子レコーダ２−１乃至２−３は、それぞれ、HDD等の記録媒体や、Blu-rayディスクなどのリムーバブルメディアにデータを書き込むことが可能なドライブを内蔵している。子レコーダ２−１乃至２−３自体にも録画機能が搭載されるようにしてもよい。
【００２１】
このような機器からなるコンテンツ転送システムにおいては、コンテンツの録画が行われる毎、１日毎、１週間毎などの所定のタイミングで、親レコーダ１から子レコーダ２−１乃至２−３に対して録画済みのコンテンツが転送されるようになされている。
【００２２】
ここで、転送とは、転送元の記録媒体にデータを残すことなく、転送先の記録媒体にのみデータを記録させることをいう。上述したように内蔵のHDDの他にドライブが子レコーダに設けられており、ドライブにBlu-rayディスクなどが装着されている場合、適宜、HDDだけでなくBlu-rayディスクも転送先の記録媒体として選択される。
【００２３】
図１の例においては、白抜き矢印に示されるように、親レコーダ１に録画されたコンテンツＡ，Ｂ，Ｃのうち、コンテンツＡは子レコーダ２−１に、コンテンツＢは子レコーダ２−２に、コンテンツＣは子レコーダ２−３にそれぞれ転送されている。
【００２４】
録画済みのコンテンツを転送することにより、親レコーダ１の記録媒体の空き容量を確保することができ、親レコーダ１において新たなコンテンツを録画することが可能になる。また、それぞれの子レコーダのユーザは、親レコーダ１から転送されてきたコンテンツを自分の子レコーダを使って視聴することができる。
【００２５】
親レコーダ１から子レコーダ２−１乃至２−３に対するコンテンツの転送は、転送対象のコンテンツ毎に、適した転送先の記録媒体が決定されてから行われる。
【００２６】
図２は、転送先の決定の例を示す図である。
【００２７】
図２の左側に示されるように転送対象のコンテンツとしてコンテンツＡが選択されている場合、コンテンツＡの情報と、子レコーダ２−１乃至２−３のそれぞれの記録媒体に既に記録されているコンテンツの情報が比較され、コンテンツＡの転送先が決定される。親レコーダ１、子レコーダ２−１乃至２−３に記録されているコンテンツには、EPG(Electronic Program Guide)データなどに含まれるそのコンテンツの情報が付加されている。コンテンツの情報には、コンテンツのタイトル、ジャンルなどが含まれる。
【００２８】
図２の例においては、コンテンツＡのタイトルは「CHANGING」、ジャンルは「ドラマ」、サイズ（データ量）は「１GB」とされている。子レコーダ２−１の記録媒体には、タイトルが「CHANGING」、ジャンルが「ドラマ」のコンテンツと、タイトルが「先生」、ジャンルが「ドラマ」のコンテンツが記録され、空き容量は１００GBとされている。子レコーダ２−２の記録媒体には、タイトルが「カーレース」、ジャンルが「映画」のコンテンツと、タイトルが「赤カーペット」、ジャンルが「バラエティ」のコンテンツが記録されている。
【００２９】
例えば親レコーダ１と子レコーダ２−１乃至２−３のそれぞれにはDLNA(Digital Living Network Alliance)に準拠した通信機能が搭載されている。DLNAに準拠した通信によれば、それぞれの子レコーダの記録媒体に記録されているコンテンツの情報を外部の機器である親レコーダ１が取得することが可能である。
【００３０】
このようなコンテンツが各機器に記録されている場合、親レコーダ１においては、比較の結果、転送対象のコンテンツＡと同じタイトルのコンテンツが記録されている子レコーダ２−１の記録媒体が転送先として決定され、その後、転送が実行される。
【００３１】
例えば「CHANGING」のコンテンツが毎週の決まった時間に放送される連続ドラマである場合、親レコーダ１において録画された「CHANGING」のコンテンツは、毎回、子レコーダ２−１に転送されることになる。子レコーダ２−１のユーザは、親レコーダ１を操作して「CHANGING」のコンテンツを子レコーダ２−１に１度手動で転送させるなどすれば、それ以降、自動的に転送される「CHANGING」のコンテンツを子レコーダ２−１から視聴することができる。
【００３２】
転送対象のコンテンツＡと同じタイトルのコンテンツが記録されている記録媒体が複数ある場合、同じタイトルのコンテンツの数が最も多い記録媒体が転送先として決定されるようにしてもよい。
【００３３】
また、転送対象のコンテンツと同じタイトルのコンテンツが記録されている記録媒体がない場合、同じジャンルのコンテンツが記録されている記録媒体が転送先として決定されるようにしてもよい。同じジャンルのコンテンツが記録されている割合の最も高い記録媒体が転送先として決定されるようにしてもよい。
【００３４】
転送対象のコンテンツと同じジャンルのコンテンツが記録されている記録媒体が転送先とされることにより、子レコーダのユーザは、親レコーダ１から転送されてきた自分の嗜好にあったコンテンツを子レコーダから視聴することができる。
【００３５】
なお、転送対象のコンテンツのデータ量に対して空き容量が不足する記録媒体は転送先から除外される。
【００３６】
転送先を決定し、コンテンツの転送を行う親レコーダ１の動作についてはフローチャートを参照して後述する。
【００３７】
図３は、親レコーダ１のハードウエア構成例を示すブロック図である。
【００３８】
CPU(Central Processing Unit)１１は、ROM(Read Only Memory)１２、またはHDD１９に記録されているプログラムに従って各種の処理を実行する。RAM(Random Access Memory)１３には、CPU１１が実行するプログラムやデータが適宜記憶される。CPU１１、ROM１２、およびRAM１３は、バス１４により相互に接続されている。
【００３９】
CPU１１にはまた、バス１４を介して入出力インタフェース１５が接続されている。入出力インタフェース１５には、受信部１６、入力部１７、出力部１８、HDD１９、通信部２０、およびドライブ２１が接続されている。
【００４０】
受信部１６は、アンテナ１６Ａからの放送波信号を受信、復調し、MPEG-TS(Moving Picture Experts Group-Transport Stream)を取得する。受信部１６は、録画の対象になっているコンテンツのデータをMPEG-TSから取得し、取得したデータを入出力インタフェース１５を介してHDD１９に出力する。
【００４１】
入力部１７は、リモートコントローラからの信号を受信し、ユーザの操作の内容を表す情報を入出力インタフェース１５、バス１４を介してCPU１１に出力する。
【００４２】
出力部１８は、再生が指示されたコンテンツをデコードし、得られた映像信号に基づいて、親レコーダ１に接続されるテレビジョン受像機にコンテンツの映像を表示させる。
【００４３】
HDD１９は、CPU１１が実行するプログラムや、入出力インタフェース１５を介して受信部１６から供給されたコンテンツなどの各種のデータを記録する。HDD１９に記録されているコンテンツが、所定のタイミングで子レコーダ２−１乃至２−３に転送される。
【００４４】
通信部２０は、ネットワーク３を介して子レコーダ２−１乃至２−３と通信を行い、転送先として決定された記録媒体を有する機器にコンテンツを転送する。
【００４５】
ドライブ２１は、磁気ディスク、光ディスク、光磁気ディスク、或いは半導体メモリなどのリムーバブルメディア２２が装着されたとき、装着されたリムーバブルメディア２２に記録されているプログラムやデータを取得する。取得されたプログラムやデータは、必要に応じてHDD１９に転送され、記録される。
【００４６】
図４は、親レコーダ１の機能構成例を示すブロック図である。図４に示す機能部のうちの少なくとも一部は、図３のCPU１１により所定のプログラムが実行されることによって実現される。
【００４７】
図４に示されるように、親レコーダ１においてはコンテンツ管理部３１と転送制御部３２が実現される。
【００４８】
コンテンツ管理部３１は、HDD１９に記録されているコンテンツを管理する。例えば、コンテンツ管理部３１は、コンテンツを転送するタイミングになったとき、HDD１９に記録されているそれぞれのコンテンツに注目して転送対象とし、転送対象のコンテンツとともに、タイトルなどのコンテンツの情報を転送制御部３２に出力する。
【００４９】
転送制御部３２は、通信部２０を制御して子レコーダ２−１乃至２−３と通信を行い、子レコーダ２−１乃至２−３の記録媒体に記録されているコンテンツの情報を取得する。また、転送制御部３２は、コンテンツ管理部３１から供給された転送対象のコンテンツの情報と、子レコーダ２−１乃至２−３から取得した情報に基づいて転送先の記録媒体を決定し、決定した記録媒体にコンテンツを転送する。
【００５０】
ここで、以上のような構成を有する親レコーダ１の処理について説明する。
【００５１】
はじめに、図５のフローチャートを参照して、親レコーダ１の転送処理について説明する。この処理は、録画済みのコンテンツを転送するタイミングになったときに開始される。
【００５２】
ステップＳ１において、転送制御部３２は、例えばDLNAに準拠した通信を通信部２０を制御して行い、ネットワーク３に接続されている機器を認識する。
【００５３】
ステップＳ２において、転送制御部３２は、ステップＳ１で認識した機器が有する記録媒体のうち、転送先とすることができる記録媒体を認識する。
【００５４】
ネットワーク３に接続されている機器として子レコーダ２−１乃至２−３が認識された場合、子レコーダ２−１乃至２−３に内蔵されているHDDや、ドライブに装着されているBlu-rayディスクが転送先とすることができる記録媒体として認識される。認識された記録媒体に記録されているコンテンツの情報、空き容量、データの書き込みの可否を表す情報、子レコーダの状態を表す情報などが転送制御部３２により子レコーダ２−１乃至２−３から取得される。
【００５５】
ステップＳ３において、コンテンツ管理部３１は、HDD１９に記録されているコンテンツのうちの１つのコンテンツに注目して転送対象とし、転送対象のコンテンツと、そのコンテンツの情報を転送制御部３２に出力する。
【００５６】
ステップＳ４において、転送制御部３２は最適転送先決定処理を行い、転送対象のコンテンツに最適な転送先の記録媒体である最適転送先を決定する。最適転送先決定処理については図６のフローチャートを参照して後述する。
【００５７】
ステップＳ５において、転送制御部３２は、最適転送先が転送可能な状態であるか否かを判定する。
【００５８】
ここでは、例えば、転送対象のコンテンツのデータ量よりも最適転送先の空き容量が少ない場合、または最適転送先に対してデータを書き込むことが禁止されている場合に、転送が不可の状態であると判定される。最適転送先の子レコーダの状態が録画中の状態である場合、または、録画予約が設定されており、コンテンツの転送中に録画が開始されることが推測される場合などに転送が不可の状態であると判定されるようにしてもよい。
【００５９】
最適転送先が転送可能な状態でないとステップＳ５において判定した場合、ステップＳ６において、転送制御部３２は、転送可能な状態の他の転送先があるか否かを判定する。転送可能な状態の他の転送先がないとステップＳ６において判定された場合、処理は終了され、転送は行われない。
【００６０】
一方、転送可能な他の転送先があるとステップＳ６において判定した場合、または、最適転送先が転送可能な状態であるとステップＳ５において判定した場合、ステップＳ７において、転送制御部３２は転送対象のコンテンツを転送する。
【００６１】
すなわち、最適転送先が転送可能な状態である場合、その最適転送先に対してコンテンツが転送される。
【００６２】
一方、最適転送先は転送可能な状態ではないが、他に転送可能な状態の転送先がある場合、その、転送可能な状態の転送先に対してコンテンツが転送される。転送可能な状態の転送先が複数ある場合、最適転送先決定処理において各記録媒体に対して設定された優先度の高い記録媒体が転送先として決定されるようにしてもよい。
【００６３】
ステップＳ８において、コンテンツ管理部３１は、全てのコンテンツに注目したか否かを判定し、全てのコンテンツに注目していないと判定した場合、ステップＳ３以降の処理を繰り返す。全てのコンテンツに注目したとステップＳ８において判定された場合、処理は終了される。
【００６４】
次に、図６のフローチャートを参照して、図５のステップＳ４において行われる最適転送先決定処理について説明する。
【００６５】
ステップＳ１１において、転送制御部３２は、転送先とすることができるものとして認識した記録媒体のうちの１つの記録媒体に注目する。
【００６６】
ステップＳ１２において、転送制御部３２は、注目する記録媒体に記録されているコンテンツのタイトルの中から、転送対象のコンテンツのタイトルと同じタイトルを探索する。注目する記録媒体に記録されているコンテンツのタイトル、ジャンル等は、その記録媒体を認識したときに取得された情報に含まれている。
【００６７】
ステップＳ１３において、転送制御部３２は、注目する記録媒体に、転送対象のコンテンツと同じタイトルのコンテンツが記録されているか否かを判定する。
【００６８】
転送対象のコンテンツと同じタイトルのコンテンツが記録されているとステップＳ１３において判定した場合、ステップＳ１４において、転送制御部３２は、同じタイトルのコンテンツの数をカウントし、優先度を計算する。ここでは、例えば、カウントされたコンテンツの数が優先度として求められる。
【００６９】
一方、転送対象のコンテンツと同じタイトルのコンテンツが記録されていないとステップＳ１３において判定された場合、処理はステップＳ１５に進む。ステップＳ１５において、転送制御部３２は、注目する記録媒体に記録されているコンテンツの中から、転送対象のコンテンツと同じジャンルのコンテンツを探索する。
【００７０】
ステップＳ１６において、転送制御部３２は、注目する記録媒体に、転送対象のコンテンツと同じジャンルのコンテンツが記録されているか否かを判定する。
【００７１】
転送対象のコンテンツと同じジャンルのコンテンツが記録されていないとステップＳ１６において判定した場合、ステップＳ１７において、転送制御部３２は、注目する記録媒体の優先度を０として設定する。
【００７２】
一方、転送対象のコンテンツと同じジャンルのコンテンツが記録されているとステップＳ１６において判定した場合、ステップＳ１８において、転送制御部３２は、同じジャンルのコンテンツの数をカウントし、優先度を計算する。ここでは、例えば、カウントされたコンテンツの数を、注目する記録媒体を有する子レコーダに記録されている総コンテンツ数で除算して求められる転送対象のコンテンツと同じジャンルのコンテンツの数の割合が、優先度として求められる。
【００７３】
ステップＳ１４，Ｓ１７，Ｓ１８で優先度を計算、または設定した後、ステップＳ１９において、転送制御部３２は、全ての子レコーダの記録媒体に注目したか否かを判定する。転送制御部３２は、全ての子レコーダの記録媒体に注目していないとステップＳ１９において判定した場合、ステップＳ１１に戻り、他の記録媒体に注目して以上の処理を繰り返す。
【００７４】
全ての子レコーダの記録媒体に注目したとステップＳ１９において判定した場合、ステップＳ２０において、転送制御部３２は、優先度の最も高い記録媒体を最適転送先として決定する。その後、図５のステップＳ４に戻り、それ以降の処理が行われる。
【００７５】
以上の処理により、コンテンツ毎に、より適した記録媒体に転送させておくことが可能になる。また、転送先を指定するなどの操作を行う必要がないため、転送のためのユーザの負担を軽減させることができる。
【００７６】
なお、優先度として同じ値が設定された記録媒体が複数あり、最適転送先の候補が複数ある場合、ユーザにより事前に設定された優先度に従って最適転送先が決定されるようにしてもよい。最適転送先の候補が１つもない場合、同様にユーザにより事前に設定された優先度に従って最適転送先が決定されるようにしてもよいし、転送が行われないようにしてもよい。
【００７７】
また、コンテンツのタイトルやジャンルに基づいて転送先が決定されるのではなく、キーワードに基づいて転送先が決定されるようにしてもよい。例えば、記録媒体毎にキーワードを設定することができるようになされている場合、転送対象のコンテンツの情報としてEPGデータに含まれるキーワードと同じキーワードが設定されている記録媒体が転送先として決定される。
【００７８】
これにより、ユーザは、それぞれのHDDやBlu-rayディスクにキーワードを設定しておけば、設定しておいたキーワードと関連のあるコンテンツだけを同じ記録媒体に転送させることができる。
【００７９】
タイトルだけ、ジャンルだけ、といったように１つの属性に基づいて転送先が決定されるのではなく、複数の属性が組み合わされて転送先が決定されるようにしてもよい。
【００８０】
コンテンツの転送元の機器と転送先の機器がレコーダである場合について説明したが、以上のようなコンテンツの転送は、パーソナルコンピュータ、携帯電話機、ゲーム機などの、コンテンツの記録が可能な各種の機器に行わせることが可能である。
【００８１】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、汎用のパーソナルコンピュータなどにインストールされる。
【００８２】
インストールされるプログラムは、光ディスク（CD-ROM(Compact Disc-Read Only Memory)，DVD(Digital Versatile Disc)等）や半導体メモリなどよりなる図３に示されるリムーバブルメディア２２に記録して提供される。また、ローカルエリアネットワーク、インターネット、デジタル放送といった、有線または無線の伝送媒体を介して提供されるようにしてもよい。プログラムは、ROM１２やHDD１９に、あらかじめインストールしておくことができる。
【００８３】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００８４】
本発明の実施の形態は、上述した実施の形態に限定されるものではなく、本発明の要旨を逸脱しない範囲において種々の変更が可能である。
【図面の簡単な説明】
【００８５】
【図１】本発明の一実施形態に係るコンテンツ転送システムの構成例を示す図である。
【図２】転送先の決定の例を示す図である。
【図３】親レコーダのハードウエア構成例を示すブロック図である。
【図４】親レコーダの機能構成例を示すブロック図である。
【図５】親レコーダの転送処理について説明するフローチャートである。
【図６】図５のステップＳ４において行われる最適転送先決定処理について説明するフローチャートである。
【符号の説明】
【００８６】
１  親レコーダ，  ２−１乃至２−３  子レコーダ，  ３  ネットワーク，  ３１  コンテンツ管理部，  ３２  転送制御部
【図１】
2010026894.tif 000003
【図２】
2010026894.tif 000004
【図３】
2010026894.tif 000005
【図４】
2010026894.tif 000006
【図５】
2010026894.tif 000007
【図６】
2010026894.tif 000008